(57)【要約】【課題】室内の状況を正確に把握し信頼度の高い安全性を実現する。【解決手段】生体情報取得手段１１が室内に在室している人物の眼球運動、瞬目、体動、脈拍、皮膚電位、皮膚温度、及び深部体温の少なくとも１つに関する生体情報を取得する。睡眠状態判定手段１２が生体情報に基づいて人物が睡眠状態であるか否かを判定する。状態監視手段７１が室内の状態及び室内に在室している人物の状態を監視する。異常判定手段７３が、睡眠状態判定手段が人物が睡眠状態であると判定し、かつ状態監視手段が所定の状態を検出した場合に、室内が異常状態であると判定する。【選択図】    図１
2004310449.tif 000002
【特許請求の範囲】
【請求項１】
人物に装着するウェアラブル装置と、室内の安全を監視する監視装置を具備する安全監視システムにおいて、
前記ウェアラブル装置に具備する、前記室内に在室している人物の生体情報を取得する生体情報取得手段と、
前記ウェアラブル装置及び前記監視装置のいずれかに具備する、前記生体情報に基づいて前記人物が睡眠状態であるか否かを判定する睡眠状態判定手段と、
前記監視装置に具備する、前記室内の状態及び前記室内に在室している人物の状態を監視する状態監視手段と、
前記監視装置に具備する、前記睡眠状態判定手段が前記人物が睡眠状態であると判定し、かつ前記状態監視手段が所定の状態を検出した場合に、室内が異常状態であると判定する異常判定手段を具備することを特徴とする安全監視システム。
【請求項２】
前記睡眠状態判定手段が前記人物が睡眠状態であると判定した場合に、前記監視を開始するように前記状態監視手段に指示を出力する監視指示出力手段をさらに具備することを特徴とする請求項１に記載の安全監視システム。
【請求項３】
前記状態監視手段は、室外と室内との間を遮断状態及び非遮断状態のいずれかに設定する遮断装置が室外と室内との間を遮断状態にしているか否かを検出する遮断検出手段を具備することを特徴とする請求項１又は請求項２に記載の安全監視システム。
【請求項４】
室内の安全を監視する安全監視システムにおいて、
前記室内に在室している人物の生体情報を取得する生体情報取得手段と、
前記生体情報に基づいて前記人物が睡眠状態であるか否かを判定する睡眠状態判定手段と、
前記室内の安全を監視するための安全監視動作を実行する安全監視実行手段と、
該室内の安全監視動作を開始するように前記安全監視実行手段に指示を出力する安全監視指示出力手段と、
前記睡眠状態判定手段が前記人物が睡眠状態であると判定し、かつ該室内の安全監視動作により室内が安全でないと判定した場合、室内が異常状態であると判定する異常判定手段を具備することを特徴とする安全監視システム。
【請求項５】
室外と室内との間を遮断状態及び非遮断状態のいずれかに設定する遮断装置が設置されていて該遮断装置を監視する監視装置と、室内の人物に装着しているウェアラブル装置と、該ウェアラブル装置から情報を受取、該情報に基づいて所定の処理を実行するサーバとからなる安全監視システムにおいて、
前記ウェアラブル装置に具備する、前記人物の生体情報を取得する生体情報取得手段と、
前記ウェアラブル装置及び前記監視装置のいずれかに具備する、前記生体情報に基づいて前記人物が睡眠状態であるか否かを判定する睡眠状態判定手段と、
前記監視装置に具備する、前記遮断装置が室外と室内との間を遮断状態にしているか否かを検出する遮断検出手段と、
前記監視装置に具備する、該検出した検出結果を送信する送信手段と、
前記サーバに具備する、前記判定した判定結果及び前記検出結果を受信する受信手段と、
前記サーバに具備する、該受信した判定結果が前記人物が睡眠状態であることを示し、かつ該受信した検出結果が前記遮断装置が室外と室内との間を遮断状態にしていないことを示している場合に、前記室内が異常であると判定する異常判定手段を具備することを特徴とする安全監視システム。
【請求項６】
前記サーバはさらに、前記異常判定手段の判定結果を送信する送信手段を具備し、
前記監視装置はさらに、前記異常判定手段の前記判定した判定結果を受信する受信手段と、該受信した判定結果が室内が異常である旨を示している場合に前記遮断装置を室外と室内との間を遮断状態に設定する遮断設定手段を具備することを特徴とする請求項５に記載の安全監視システム。
【請求項７】
室内の特定人物を監視する監視装置と、該特定人物とは別の人物でかつ室内にいる人物に装着しているウェアラブル装置と、前記監視装置及び該ウェアラブル装置から情報を受取、該情報に基づいて所定の処理を実行するサーバとからなる安全監視システムにおいて、
前記ウェアラブル装置に具備する、前記別の人物の生体情報を取得する生体情報取得手段と、
前記ウェアラブル装置及び前記監視装置のいずれかに具備する、前記生体情報に基づいて前記別の人物が睡眠状態であるか否かを判定する睡眠状態判定手段と、
前記監視装置に具備する、前記特定人物に対応して危険領域を設定する危険領域設定手段と、
前記監視装置に具備する、前記特定人物が前記危険領域に存在するか否かを判定する危険領域判定手段と、
前記監視装置に具備する、前記特定人物が前記危険領域に存在するか否かの危険領域存在情報を送信する送信手段と、
前記サーバに具備する、前記睡眠状態であるか否かの判定結果及び前記危険領域存在情報を受信する受信手段と、
前記サーバに具備する、前記睡眠状態判定手段が前記別の人物が睡眠状態であると判定し、かつ前記危険領域判定手段が前記特定人物が前記危険領域に存在すると判定した場合に、該室内が異常であると判定する異常判定手段を具備することを特徴とする安全監視システム。
【請求項８】
室外と室内との間を遮断状態及び非遮断状態のいずれかに設定する遮断装置が設置されていて該遮断装置を監視する監視装置と、室内の人物に装着しているウェアラブル装置と、該ウェアラブル装置から情報を受取、該情報に基づいて所定の処理を実行するサーバとからなる安全監視システムにおいて、
前記ウェアラブル装置に具備する、前記人物の生体情報を取得する生体情報取得手段と、
前記ウェアラブル装置及び前記監視装置のいずれかに具備する、前記生体情報に基づいて前記人物が睡眠状態であるか否かを判定する睡眠状態判定手段と、
前記監視装置に具備する、前記遮断装置が施錠されているか否かを検出する施錠検出手段と、
前記監視装置に具備する、該検出した検出結果を送信する送信手段と、
前記サーバに具備する、前記判定した判定結果及び前記検出結果を受信する受信手段と、
前記サーバに具備する、該受信した判定結果が前記人物が睡眠状態であることを示し、かつ該受信した検出結果が前記遮断装置が施錠されていないことを示している場合に、前記室内が異常であると判定する異常判定手段を具備することを特徴とする安全監視システム。
【請求項９】
前記サーバはさらに、前記異常判定手段の判定結果を送信する送信手段を具備し、
前記監視装置はさらに、前記異常判定手段の前記判定結果を受信する受信手段と、該判定結果が室内が異常である旨を示している場合に前記遮断装置を施錠する施錠手段を具備することを特徴とする請求項８に記載の安全監視システム。
【請求項１０】
室内の火気を監視する監視装置と、人物に装着しているウェアラブル装置と、前記監視装置及び該ウェアラブル装置から情報を受取、該情報に基づいて所定の処理を実行するサーバとからなる安全監視システムにおいて、
前記ウェアラブル装置に具備する、前記人物の生体情報を取得する生体情報取得手段と、
前記ウェアラブル装置及び前記監視装置のいずれかに具備する、前記生体情報に基づいて前記人物が睡眠状態であるか否かを判定する睡眠状態判定手段と、
前記監視装置に具備する、前記室内に火気があるか否かを検出する火気検出手段と、
前記監視装置に具備する、該検出した検出結果を送信する送信手段と、
前記サーバに具備する、前記判定した判定結果及び前記検出結果を受信する受信手段と、
前記サーバに具備する、該受信した判定結果が前記人物が睡眠状態であることを示し、かつ該受信した検出結果が室内に火気があることを示している場合に、前記室内が異常であると判定する異常判定手段を具備することを特徴とする安全監視システム。
【請求項１１】
前記サーバはさらに、前記異常判定手段の判定結果を送信する送信手段を具備し、
前記監視装置はさらに、前記異常判定手段の前記判定結果を受信する受信手段と、該受信した判定結果が室内が異常である旨を示している場合に前記火気を消火する消火手段を具備することを特徴とする請求項１０に記載の安全監視システム。
【請求項１２】
前記サーバはさらに、前記消火手段が消火を実行してから所定の経過時間を計測するタイマーと、前記所定の経過時間後、前記異常判定手段が依然として前記室内が異常であると判定した場合に、警告を発生する警告手段を具備することを特徴とする請求項１１に記載の安全監視システム。
【請求項１３】
室内の火気及び人物の位置を監視する監視装置と、人物に装着しているウェアラブル装置と、前記監視装置及び該ウェアラブル装置から情報を受取、該情報に基づいて所定の処理を実行するサーバとからなる安全監視システムにおいて、
前記ウェアラブル装置に具備する、前記人物の生体情報を取得する生体情報取得手段と、
前記ウェアラブル装置及び前記監視装置のいずれかに具備する、前記生体情報に基づいて前記人物が睡眠状態であるか否かを判定する睡眠状態判定手段と、
前記監視装置に具備する、前記人物の位置を検出する位置検出手段と、
前記監視装置に具備する、前記室内に火気があるか否かを検出する火気検出手段と、
前記監視装置に具備する、前記検出した位置に関する位置情報及び前記火気があるか否かを検出した検出結果を送信する送信手段と、
前記サーバに具備する、前記判定した判定結果、前記位置情報、及び前記検出結果を受信する受信手段と、
前記サーバに具備する、前記検出した火気の存在する周辺領域を設定する火気領域設定手段と、
前記サーバに具備する、前記位置情報に基づいて前記周辺領域に前記人物が位置するか否かを判定する危険領域判定手段と、
前記サーバに具備する、前記睡眠状態判定手段が前記人物が睡眠状態であると判定し、かつ前記危険領域判定手段が前記周辺領域にだれも位置していないと判定した場合に、該室内が異常であると判定する異常判定手段を具備することを特徴とする安全監視システム。
【請求項１４】
前記異常判定手段が異常であると判定した場合に、警告を発生する警告手段をさらに具備することを特徴とする請求項１から請求項１３のいずれかに記載の安全監視システム。
【請求項１５】
前記ウェアラブル装置は、前記異常判定手段が異常であると判定した場合に、警告を発生する警告手段をさらに具備することを特徴とする請求項１から請求項３のいずれか又は請求項５から請求項１２のいずれかに記載の安全監視システム。
【請求項１６】
室内の安全を監視する安全監視システムにおいて、
前記室内に在室している人物の生体情報を取得する生体情報取得手段と、
前記生体情報に基づいて前記人物が睡眠状態であるか否かを判定する睡眠状態判定手段と、
前記室内の状態及び前記室内に在室している人物の状態を監視する状態監視手段と、
前記睡眠状態判定手段が前記人物が睡眠状態であると判定し、かつ前記状態監視手段が所定の状態を検出した場合に、室内が異常状態であると判定する異常判定手段を具備する監視装置を具備することを特徴とする安全監視システム。
【請求項１７】
室外と室内との間を遮断状態及び非遮断状態のいずれかに設定する遮断装置が設置されている室内の安全を監視する安全監視システムにおいて、
前記室内に在室している人物の生体情報を取得する生体情報取得手段と、
前記生体情報に基づいて前記人物が睡眠状態であるか否かを判定する睡眠状態判定手段と、
前記遮断装置が室外と室内との間を遮断状態にしているか否かを検出する遮断検出手段と、
前記睡眠状態判定手段が前記人物が睡眠状態であると判定し、かつ前記遮断検出手段が前記遮断装置が室外と室内との間を遮断状態にしていないことを検出した場合に、前記室内が異常であると判定する異常判定手段を具備することを特徴とする安全監視システム。
【請求項１８】
室内の特定人物を監視し、室内の安全を監視する安全監視システムにおいて、
前記特定人物とは別の人物でかつ室内にいる人物の生体情報を取得する生体情報取得手段と、
前記生体情報に基づいて前記別の人物が睡眠状態であるか否かを判定する睡眠状態判定手段と、
前記特定人物に対応して危険領域を設定する危険領域設定手段と、
前記特定人物が前記危険領域に存在するか否かを判定する危険領域判定手段と、
前記睡眠状態判定手段が前記別の人物が睡眠状態であると判定し、かつ前記危険領域判定手段が前記特定人物が前記危険領域に存在すると判定した場合に、該室内が異常であると判定する異常判定手段を具備するサーバを具備することを特徴とする安全監視システム。
【請求項１９】
室外と室内との間を遮断状態及び非遮断状態のいずれかに設定する遮断装置が設置されている室内の安全を監視する安全監視システムにおいて、
前記室内に在室している人物の生体情報を取得する生体情報取得手段と、
前記生体情報に基づいて前記人物が睡眠状態であるか否かを判定する睡眠状態判定手段と、
前記遮断装置が施錠されているか否かを検出する施錠検出手段と、
前記睡眠状態判定手段が前記人物が睡眠状態であると判定し、かつ前記施錠検出手段が前記遮断装置が施錠されていないことを検出した場合に、前記室内が異常であると判定する異常判定手段を具備するサーバを具備することを特徴とする安全監視システム。
【請求項２０】
室内の安全を監視する安全監視システムにおいて、
前記室内に在室している人物の生体情報を取得する生体情報取得手段と、
前記生体情報に基づいて前記人物が睡眠状態であるか否かを判定する睡眠状態判定手段と、
前記室内に火気があるか否かを検出する火気検出手段と、
前記睡眠状態判定手段が前記人物が睡眠状態であると判定し、かつ前記火気検出手段が室内に火気があることを検出した場合に、前記室内が異常であると判定する異常判定手段を具備するサーバを具備することを特徴とする安全監視システム。
【請求項２１】
室内の安全を監視する安全監視システムにおいて、
前記室内に在室している人物の生体情報を取得する生体情報取得手段と、
前記生体情報に基づいて前記人物が睡眠状態であるか否かを判定する睡眠状態判定手段と、
前記人物の位置を検出する位置検出手段と、
前記室内に火気があるか否かを検出する火気検出手段と、
前記検出した火気の存在する周辺領域を設定する火気領域設定手段と、
前記位置情報に基づいて前記周辺領域に前記人物が位置するか否かを判定する危険領域判定手段と、
前記睡眠状態判定手段が前記人物が睡眠状態であると判定し、かつ前記危険領域判定手段が前記周辺領域にだれも位置していないと判定した場合に、該室内が異常であると判定する異常判定手段を具備するサーバを具備することを特徴とする安全監視システム。
【請求項２２】
前記生体情報は、眼球運動、瞬目、体動、脈拍、皮膚電位、皮膚温度、及び深部体温の少なくとも１つに関する情報であることを特徴とする請求項１から請求項２１のいずれかに記載の安全監視システム。
【発明の詳細な説明】
【０００１】
【発明の属する技術分野】
本発明は、部屋にいる人物の生体情報及び室内の状態に基づいて、在室人物の安全を守るための安全監視システムに関する。
【０００２】
【従来の技術】
一般家庭やホテル、病院などの建物内のセキュリティシステムにおいて、その在室人物が不用意に寝てしまったために災害や犯罪の被害にあったという例は少なくない。典型的な例として寝煙草や、戸締まり不注意による不法侵入などが挙げられる。このような被害を防ぐべく支援する安全監視システムは、以下のように既に幾つかの提案がある。
【０００３】
まず、寝煙草に関しては、煙草自体に自然消火機能を設けた提案がある（例えば、特許文献１又は特許文献２）。また、灰皿に特殊機能を設け、灰皿の外側の光や熱を検知することで灰皿から火が落ちたと判断する提案もある（例えば、特許文献３）。
【０００４】
また、在室人物が寝ているか否かを検知し、それを異常検知の一つの判断材料にする例もある。部屋の電灯の光量を下げ、それに対して再び光量を上げるなどの在室人物からのフィードバックがなければ在室人物は不在又は就寝中と判断し、火災検知器の検知レベルをシビアにするという提案もある（例えば、特許文献４）。また、赤外線センサーとドプラセンサを駆使して在室人物の在否及び就寝を検知して、その情報を火災認識に用いるという提案もある（例えば、特許文献５）。
【０００５】
【特許文献１】
特開２００１−２９９３１９号公報
【０００６】
【特許文献２】
特開２０００−２６２２６６号公報
【０００７】
【特許文献３】
特開平０６−２７４７６８号公報
【０００８】
【特許文献４】
特公平７−１２２９１７号公報
【０００９】
【特許文献５】
特公平０５−６９１９号公報
【００１０】
【発明が解決しようとする課題】
上記公知例のうち、寝煙草に関する特許文献１及び特許文献２は、煙草がある程度短くなったら消化するというものなので、煙草が長いうちに喫煙者が寝てしまい、手に持った煙草が床に落ちたり蒲団に落ちたりした場合に対しては何の効果も無い。また、特許文献３は灰皿の外の火を単純に検知するが、そもそもその検知範囲が狭ければ（灰皿のすぐ周辺に限定されていれば）、手に持った煙草が落ちた場合などは検知できないし、範囲が広ければ煙草に火をつけようとして点火したライターの正常な火なども検知して異常と判定してしまうことになる。
【００１１】
これら不具合の根本的な原因は、在室人物の覚醒／睡眠状態とは関係なく対処（消火）や異常判断をしているところにある。よって、より適確な異常判断をするには、在室人物の入眠自体を検知して、その情報を異常の判断材料に用いることが望ましい。そうすれば、その睡眠判定情報を用いて寝煙草以外の戸締まりや幼児の見張りなど他の安全監視などにも応用することができる。
【００１２】
しかしながら、在室人物の入眠検知をしている特許文献４及び特許文献５は、まだ睡眠判定が十分とはいえない。例えば特許文献４では在室人物がわざわざ照明の光量を上げる操作をしなければならないので不便を強いることになるし、また、覚醒状態でも面倒なときは照明の光量を上げる操作をしないかもしれず、その場合、誤判定になる。
特許文献５では、部屋の中に例えば動物などのペットや扇風機など動くものがある場合はドプラセンサが動きを検知してしまって誤判定を招くことになるし、赤外線センサーの検出出力の低下は、在室人物が行儀よく蒲団の中に入って就寝した場合ならよいが、例えば椅子、ソファーや床などに座ったり寝転がったりしたまま居眠りをした場合などには基本的に低下しないので、これも誤判定を招く。また、赤外線センサーに関しても室内に動物のペットがいた場合は同様に誤判定を招くこともありうる。誤判定によって正常時に警報を鳴らされては日常生活に支障をきたすし、逆に異常時なのにそれを判定できなければ装置そのものの信用を失うことになる。このような厳しい要求に耐えなければならない安全装置にとっては、より正確な判定を実現することが最も重要な課題である。
【００１３】
次に睡眠判定を利用した火災検出に関して、特許文献４では、少なくとも火災の前兆現象（火が正常な点火部から他に燃え移り始めることなど）が起こらなければ火災を検知するセンサーが現象を検知できないため、その段階では前兆なのでまだ火災ではないにしろ、火が燃え移るなど少なくとも既に被害が発生し始めている場合もあり、それを防ぐことが出来ない。寝煙草において、落下した煙草により蒲団や床を焦がすことなども防げれば、より好ましい。
【００１４】
そこで、本発明は上述した従来の技術に鑑み、室内の状況を正確に把握し信頼度の高い安全性を実現する安全監視システムを提供することを目的とする。
【００１５】
【課題を解決するための手段】
本発明の安全監視システムは、人物に装着するウェアラブル装置と、室内の安全を監視する監視装置を具備する安全監視システムにおいて、
ウェアラブル装置に具備する、室内に在室している人物の生体情報を取得する生体情報取得手段と、
ウェアラブル装置及び監視装置のいずれかに具備する、生体情報に基づいて人物が睡眠状態であるか否かを判定する睡眠状態判定手段と、
監視装置に具備する、室内の状態及び室内に在室している人物の状態を監視する状態監視手段と、
監視装置に具備する、睡眠状態判定手段が人物が睡眠状態であると判定し、かつ状態監視手段が所定の状態を検出した場合に、室内が異常状態であると判定する異常判定手段を備えている。
【００１６】
本発明の安全監視システムは、室内の安全を監視する安全監視システムにおいて、室内に在室している人物の生体情報を取得する生体情報取得手段と、生体情報に基づいて人物が睡眠状態であるか否かを判定する睡眠状態判定手段と、室内の安全を監視するための安全監視動作を実行する安全監視実行手段と、室内の安全監視動作を開始するように安全監視実行手段に指示を出力する安全監視指示出力手段と、睡眠状態判定手段が人物が睡眠状態であると判定し、かつ室内の安全監視動作により室内が安全でないと判定した場合、室内が異常状態であると判定する異常判定手段を備えている。
【００１７】
本発明の安全監視システムは、室外と室内との間を遮断状態及び非遮断状態のいずれかに設定する遮断装置が設置されていて遮断装置を監視する監視装置と、室内の人物に装着しているウェアラブル装置と、ウェアラブル装置から情報を受取、情報に基づいて所定の処理を実行するサーバとからなる安全監視システムにおいて、
ウェアラブル装置に具備する、人物の生体情報を取得する生体情報取得手段と、
ウェアラブル装置及び監視装置のいずれかに具備する、生体情報に基づいて人物が睡眠状態であるか否かを判定する睡眠状態判定手段と、
監視装置に具備する、遮断装置が室外と室内との間を遮断状態にしているか否かを検出する遮断検出手段と、
監視装置に具備する、検出した検出結果を送信する送信手段と、
サーバに具備する、判定した判定結果及び検出結果を受信する受信手段と、
サーバに具備する、受信した判定結果が人物が睡眠状態であることを示し、かつ受信した検出結果が遮断装置が室外と室内との間を遮断状態にしていないことを示している場合に、室内が異常であると判定する異常判定手段を備えている。
【００１８】
本発明の安全監視システムは、室内の特定人物を監視する監視装置と、特定人物とは別の人物でかつ室内にいる人物に装着しているウェアラブル装置と、監視装置及びウェアラブル装置から情報を受取、情報に基づいて所定の処理を実行するサーバとからなる安全監視システムにおいて、
ウェアラブル装置に具備する、別の人物の生体情報を取得する生体情報取得手段と、
ウェアラブル装置及び監視装置のいずれかに具備する、生体情報に基づいて別の人物が睡眠状態であるか否かを判定する睡眠状態判定手段と、
監視装置に具備する、特定人物に対応して危険領域を設定する危険領域設定手段と、
監視装置に具備する、特定人物が危険領域に存在するか否かを判定する危険領域判定手段と、
監視装置に具備する、特定人物が危険領域に存在するか否かの危険領域存在情報を送信する送信手段と、
サーバに具備する、睡眠状態であるか否かの判定結果及び危険領域存在情報を受信する受信手段と、
サーバに具備する、睡眠状態判定手段が別の人物が睡眠状態であると判定し、かつ危険領域判定手段が特定人物が危険領域に存在すると判定した場合に、室内が異常であると判定する異常判定手段を備えている。
【００１９】
本発明の安全監視システムは、室外と室内との間を遮断状態及び非遮断状態のいずれかに設定する遮断装置が設置されていて遮断装置を監視する監視装置と、室内の人物に装着しているウェアラブル装置と、ウェアラブル装置から情報を受取、情報に基づいて所定の処理を実行するサーバとからなる安全監視システムにおいて、
ウェアラブル装置に具備する、人物の生体情報を取得する生体情報取得手段と、
ウェアラブル装置及び監視装置のいずれかに具備する、生体情報に基づいて人物が睡眠状態であるか否かを判定する睡眠状態判定手段と、
監視装置に具備する、遮断装置が施錠されているか否かを検出する施錠検出手段と、
監視装置に具備する、検出した検出結果を送信する送信手段と、
サーバに具備する、判定した判定結果及び検出結果を受信する受信手段と、
サーバに具備する、受信した判定結果が人物が睡眠状態であることを示し、かつ受信した検出結果が遮断装置が施錠されていないことを示している場合に、室内が異常であると判定する異常判定手段を備えている。
【００２０】
本発明の安全監視システムは、室内の火気を監視する監視装置と、人物に装着しているウェアラブル装置と、監視装置及びウェアラブル装置から情報を受取、情報に基づいて所定の処理を実行するサーバとからなる安全監視システムにおいて、
ウェアラブル装置に具備する、人物の生体情報を取得する生体情報取得手段と、
ウェアラブル装置及び監視装置のいずれかに具備する、生体情報に基づいて人物が睡眠状態であるか否かを判定する睡眠状態判定手段と、
監視装置に具備する、室内に火気があるか否かを検出する火気検出手段と、
監視装置に具備する、検出した検出結果を送信する送信手段と、
サーバに具備する、判定した判定結果及び検出結果を受信する受信手段と、
サーバに具備する、受信した判定結果が人物が睡眠状態であることを示し、かつ受信した検出結果が室内に火気があることを示している場合に、室内が異常であると判定する異常判定手段を備えている。
【００２１】
本発明の安全監視システムは、室内の火気及び人物の位置を監視する監視装置と、人物に装着しているウェアラブル装置と、監視装置及びウェアラブル装置から情報を受取、情報に基づいて所定の処理を実行するサーバとからなる安全監視システムにおいて、
ウェアラブル装置に具備する、人物の生体情報を取得する生体情報取得手段と、
ウェアラブル装置及び監視装置のいずれかに具備する、生体情報に基づいて人物が睡眠状態であるか否かを判定する睡眠状態判定手段と、
監視装置に具備する、人物の位置を検出する位置検出手段と、
監視装置に具備する、室内に火気があるか否かを検出する火気検出手段と、
監視装置に具備する、検出した位置に関する位置情報及び火気があるか否かを検出した検出結果を送信する送信手段と、
サーバに具備する、判定した判定結果、位置情報、及び検出結果を受信する受信手段と、
サーバに具備する、検出した火気の存在する周辺領域を設定する火気領域設定手段と、
サーバに具備する、位置情報に基づいて周辺領域に人物が位置するか否かを判定する危険領域判定手段と、
サーバに具備する、睡眠状態判定手段が人物が睡眠状態であると判定し、かつ危険領域判定手段が周辺領域にだれも位置していないと判定した場合に、室内が異常であると判定する異常判定手段を備えている。
【００２２】
本発明の安全監視システムは、室内の安全を監視する安全監視システムにおいて、室内に在室している人物の生体情報を取得する生体情報取得手段と、生体情報に基づいて人物が睡眠状態であるか否かを判定する睡眠状態判定手段と、室内の状態及び室内に在室している人物の状態を監視する状態監視手段と、睡眠状態判定手段が人物が睡眠状態であると判定し、かつ状態監視手段が所定の状態を検出した場合に、室内が異常状態であると判定する異常判定手段を具備する監視装置を備えている。
【００２３】
本発明の安全監視システムは、室外と室内との間を遮断状態及び非遮断状態のいずれかに設定する遮断装置が設置されている室内の安全を監視する安全監視システムにおいて、室内に在室している人物の生体情報を取得する生体情報取得手段と、生体情報に基づいて人物が睡眠状態であるか否かを判定する睡眠状態判定手段と、遮断装置が室外と室内との間を遮断状態にしているか否かを検出する遮断検出手段と、睡眠状態判定手段が人物が睡眠状態であると判定し、かつ遮断検出手段が遮断装置が室外と室内との間を遮断状態にしていないことを検出した場合に、室内が異常であると判定する異常判定手段を具備するサーバを備えている。
【００２４】
本発明の安全監視システムは、室内の特定人物を監視し、室内の安全を監視する安全監視システムにおいて、特定人物とは別の人物でかつ室内にいる人物の生体情報を取得する生体情報取得手段と、生体情報に基づいて別の人物が睡眠状態であるか否かを判定する睡眠状態判定手段と、特定人物に対応して危険領域を設定する危険領域設定手段と、特定人物が危険領域に存在するか否かを判定する危険領域判定手段と、睡眠状態判定手段が別の人物が睡眠状態であると判定し、かつ危険領域判定手段が特定人物が危険領域に存在すると判定した場合に、室内が異常であると判定する異常判定手段を備えている。
【００２５】
本発明の安全監視システムは、室外と室内との間を遮断状態及び非遮断状態のいずれかに設定する遮断装置が設置されている室内の安全を監視する安全監視システムにおいて、室内に在室している人物の生体情報を取得する生体情報取得手段と、生体情報に基づいて人物が睡眠状態であるか否かを判定する睡眠状態判定手段と、遮断装置が施錠されているか否かを検出する施錠検出手段と、睡眠状態判定手段が人物が睡眠状態であると判定し、かつ施錠検出手段が遮断装置が施錠されていないことを検出した場合に、室内が異常であると判定する異常判定手段を具備するサーバを備えている。
【００２６】
本発明の安全監視システムは、室内の安全を監視する安全監視システムにおいて、室内に在室している人物の生体情報を取得する生体情報取得手段と、生体情報に基づいて人物が睡眠状態であるか否かを判定する睡眠状態判定手段と、室内に火気があるか否かを検出する火気検出手段と、睡眠状態判定手段が人物が睡眠状態であると判定し、かつ火気検出手段が室内に火気があることを検出した場合に、室内が異常であると判定する異常判定手段を備えている。
【００２７】
本発明の安全監視システムは、室内の安全を監視する安全監視システムにおいて、室内に在室している人物の生体情報を取得する生体情報取得手段と、生体情報に基づいて人物が睡眠状態であるか否かを判定する睡眠状態判定手段と、人物の位置を検出する位置検出手段と、室内に火気があるか否かを検出する火気検出手段と、検出した火気の存在する周辺領域を設定する火気領域設定手段と、位置情報に基づいて周辺領域に人物が位置するか否かを判定する危険領域判定手段と、睡眠状態判定手段が人物が睡眠状態であると判定し、かつ危険領域判定手段が周辺領域にだれも位置していないと判定した場合に、室内が異常であると判定する異常判定手段を具備するサーバを備えている。
【００２８】
以上の構成によれば、ウェアラブル装置は常に人間に装着することができるように設計されている。この結果、ベッド等での通常の就寝ではない、ソファーでの居眠りなどを含めた任意の場所で睡眠状態にあるか否かを判定することができる。
【００２９】
したがって、在室人物の覚醒／睡眠状態をより適確に判定することができるので、従来技術より高いレベルで利便性と堅牢性を両立した安全監視が実現できる。
【００３０】
また、ウェアラブル装置から情報が送信される際には、そのウェアラブル装置を示す識別情報が付帯されて送信される。すなわち、他のサーバ等の装置は、ウェアラブル装置からある情報を受信した場合、どのウェアラブル装置から受信した情報かを検出することが可能になる。
【００３１】
また火気検知に関しては、正常な点火も検知しておき、それと睡眠判定を合わせることで煙草等の火の消し忘れが直ちに発見でき、火の燃え移りを未然に防止することもできるようになる。
【００３２】
火気検知手段は、煙草の通常の点火も検知できることがより好ましく、それにより、寝煙草による煙草の消し忘れ防止が可能となる。
また警告手段は、在室人物が装着した睡眠計測手段を備えた装置から直接警告してもよい。
【００３３】
【発明の実施の形態】
以下、図面を参照しながら本発明の実施の形態に係る安全監視システムを説明する。なお、図面中で同一の番号を付してある構成要素は同様なものであるとする。
図１は、本発明の実施形態に係る安全監視システムのブロック図である。図２は、図１の安全監視システムの設置例である。
本実施形態の安全監視システムは、人間に装着するウェアラブル装置１０と、サーバ７０と、施錠装置２０等のモニターからなる。
ウェアラブル装置１０は、生体情報計測部１１、睡眠判定部１２、無線通信部１３、及び警告部１４からなる。図２ではウェアラブル装置１０はリストバンドタイプのものが示されている。
サーバ７０は、位置検出部７１、無線通信部７２、及び異常判定部７３からなる。図２ではサーバ７０は、室外に設置されているが室内でもよく、さらに他の装置と全て無線で通信しているが、有線のみで通信してもよくまた有線と無線を使い分けて通信してもよい。
生体情報計測部１１は、ウェアラブル装置１０を装着している人間の生体情報をリアルタイムで計測する。生体情報は、例えば眼球運動、瞬目、体動、脈拍、皮膚電位、皮膚温度、及び深部体温があり、生体情報計測部１１はこれらのうち少なくとも１つを計測する。
【００３４】
睡眠判定部１２は、生体情報計測部１１で取得した生体情報に基づいて、ウェアラブル装置１０を装着している人間が覚醒状態にあるか睡眠状態にあるかをリアルタイムで判定する。睡眠判定部１２は、生体情報計測部１１が取得した生体情報が複数項目の場合は、それらの項目の生体情報を総合的に判断して覚醒状態にあるか睡眠状態にあるかを判定する。
この判定は、例えば、眼球運動の激しさの程度、瞬きの発生頻度、体が動く頻度、脈拍数、皮膚電位（皮膚の電気的抵抗）、皮膚温度、深部体温のうち少なくとも１つに基づいて実行される。
また、ウェアラブル装置１０は常に人間に装着することができるように設計されている。この結果、ベッド上での通常の就寝ではない居眠りなどを含めた任意の場所で睡眠状態にあるか否かを判定することができる。
【００３５】
無線通信部１３は、睡眠判定部１２が判定した判定結果情報をサーバ７０に送信する。さらに、無線通信部１３は、サーバ７０から異常である旨の異常情報を受信する。また、無線通信部１３は、所定の周期で各ウェアラブル装置１０に固有の識別情報を発信してもよいが、後述の位置検出部７１がこの識別情報を参照することなく、各ウェアラブル装置１０の位置を検出することができる場合は、識別情報の発信は不要である。
また、この識別情報を含んでいる信号を発信する機能だけを有するウェアラブル装置１０も設けてもよい。このウェアラブル装置は、図４を参照して後述する場合に幼児に装着して幼児の位置を検出するために使用される。
警告部１４は、無線通信部１３が異常情報を受信した場合に警告を発生する。
例えば、警告部１４は、スピーカ（図示せず）を内蔵していて、異常情報を受信した場合に警告音を発生する。他の例として、警告部１４は、バイブレーション機能を備えていて、異常情報を受信した場合にバイブレーションを発生してもよい。また別の例として、警告部１４は、最初はバイブレーション、そのまま睡眠判定部１２によって在室人物が睡眠状態であると判定されれば音を鳴らし、さらにそれでも在室人物が睡眠状態であると判定されればその音を徐々に大きくしていくというように刺激量を徐々に大きくする方法などでもよい。このように、警告方法は特に規定されず、様々な方法が可能である。
【００３６】
位置検出部７１は、ウェアラブル装置１０を身につけている人間の位置を検出する。後述する位置センサー５０がウェアラブル装置１０から発信される信号を検出してその信号に基づいてウェアラブル装置の位置を検出し、位置検出部７１が、位置センサー５０が検出した位置を受信することにより人間の位置を検出する。この発信信号は各ウェアラブル装置固有の識別情報を含んでいる。
【００３７】
別の例としては、位置センサー５０がカメラ等を備え、人間を検出して各人を識別し、その識別情報を位置検出部７１が受け取ることによって室内の人間の位置を検出してもよい。この場合はウェアラブル装置１０が識別情報を含む信号を発信する必要はない。また、この場合はウェアラブル装置１０を装着していない人間の位置も検出する。
無線通信部７２は、後述する開閉センサー４０、位置センサー５０、及び火気センサー６０からの信号を受信する。また、無線通信部７２は、ウェアラブル装置１０から睡眠判定部１２が判定した判定結果を信号として受信する。一方、無線通信部７２は、後述する異常判定部７３が異常であると判定した結果情報をウェアラブル装置１０に送信する。
異常判定部７３は、ウェアラブル装置１０から受信する睡眠判定部１２の判定結果情報、位置検出部７１から入力する検出結果情報に基づいて、室内が異常であるか否かを判定する。また、異常判定部７３は、位置検出部７１が検出する位置のうちどの領域を異常と見なすかが設定してある。
【００３８】
施錠装置２０は、窓や扉等の開閉装置に付属しており、開閉装置を施錠したり施錠を解除したりする。また、施錠装置２０は、各開閉装置が施錠状態であるか否かを無線通信部７２に送信する。この送信は、サーバ７０からの要求に応じて実行されるように設定されていることが好ましい。
消火装置３０は、火を消火する装置であり、例えば消火機能の付いた灰皿等である。消火機能の付いた灰皿は、消火指示を受けると灰皿上にある煙草の火を消火する。図２では灰皿は在室人物の左手側のソファーの上にある。
開閉センサー４０は、窓や扉等の開閉装置を監視して、開閉装置が開状態であるか閉状態であるかを検出しその検出情報をサーバ７０に送信する。
位置センサー５０は、ウェアラブル装置１０から発信される信号を検出しその検出情報をサーバ７０に送信する。これとは別に、位置センサー５０はカメラ等を備え、人間を検出して各人を識別してその識別情報をサーバ７０に送信してもよい。
火気センサー６０は、室内に火気があるか否かを検出しその検出情報をサーバ７０に送信する。火気センサー６０は例えば温熱赤外線検知方式で煙草の火気の存在をリアルタイムで検知する。図２では位置センサー５０及び火気センサー６０は天井に設置されているが、設置される場所は天井に限定されない。
【００３９】
ウェアラブル装置１０、施錠装置２０、消火装置３０、開閉センサー４０、位置センサー５０、火気センサー６０、及びサーバ７０間の通信はここでは全て無線によって実行されるが、通信方法は何の限定すべき事項はなく例えば有線でも構わない。また、ウェアラブル装置１０から情報が送信される際には、そのウェアラブル装置を示す識別情報が付帯されて送信される。すなわち、他のサーバ７０等の装置は、ウェアラブル装置１０からある情報を受信した場合、どのウェアラブル装置から受信した情報かを検出することが可能になる。
【００４０】
図３は、図１の安全監視システムの窓の開閉に関するフロー図である。
在室している人間が装着している各ウェアラブル装置１０内の睡眠判定部１２が装着者が睡眠状態であるか否かを判定する（Ｓ１１）。サーバ７０内の異常判定部７３が、ウェアラブル装置の識別情報を参照することにより、全てのウェアラブル装置からの睡眠判定部からの情報を取得する。異常判定部７３は、在室している人間全員が睡眠状態であると判定した場合はステップＳ１２に進み、少なくとも一人が睡眠状態でないと判定した場合はステップＳ１５に進む。
【００４１】
異常判定部７３は、全員が睡眠状態であると判定した場合は、開閉センサー４０からの情報により開閉装置（例えば窓）が開いているか否かを判定する（Ｓ１２）。異常判定部７３が、開閉装置が開いていると判断した場合はステップＳ１３に進み、開閉装置が開いていないと判断した場合はステップＳ１５に進む。
【００４２】
異常判定部７３は、開閉装置が開いていると判断した場合は、警告部１４が警告しているか否かを確認する（Ｓ１３）。異常判定部７３が、警告していると確認した場合はステップＳ１１に戻る。
【００４３】
異常判定部７３が警告していないと確認した場合は、警告部１４に指示して警告を開始し（Ｓ１４）、ステップＳ１１に戻る。警告は警告停止の指示（Ｓ１６）がされない限り、停止しない。
【００４４】
一方、ステップＳ１１で少なくとも一人が睡眠状態でないと判定した場合、又はステップＳ１２で開閉装置が開いていないと判断した場合は、異常判定部７３が警告部１４が警告しているか否かを判定する（Ｓ１５）。警告部１４が警告していると判定した場合はステップＳ１６に進み、警告部１４が警告していないと判定した場合はステップＳ１１に戻る。警告部１４が警告していると判定した場合は、警告を停止する（Ｓ１６）。これは、在室人物が覚醒状態の場合は窓が開いたという検知情報を受け取っても、窓を開けたのは在室人物自身である、あるいは、他人が開けたとしても在室人物はそれに対応可能であるとして警告をしないように設定する。
【００４５】
また、開閉装置を開けた侵入者に対しても警告をするように窓のそばに別途警告装置を設け、大きな音で警告を鳴らしたり、照明を点灯して光で侵入者に警告をするように設定してもよい。
【００４６】
図４は、図１の安全監視システムの禁止区域に関するフロー図である。図４は、幼児が危険領域に侵入した場合に警告を発生するための処理手順を示す。ここでは幼児の位置検出をすることができればよいので、幼児は、図９のウェアラブル装置１０を身につけるか、何も身につけることなく位置センサー５０及び位置検出部７１によって幼児の位置が検出される。
【００４７】
ステップＳ１１は図３のステップと同様であり、異常判定部７３は、全員が睡眠状態であると判定した場合は、位置センサー５０と位置検出部７１からの情報により特定の人物（ここでは幼児としている）が特定の禁止区域にいるか否かを判定する（Ｓ２２）。例えば、禁止区域を部屋の外に設定する。異常判定部７３が、幼児が禁止区域にいると判定した場合はステップＳ１３に進み、幼児が禁止区域にいないと判定した場合はステップＳ１５に進む。
【００４８】
異常判定部７３は、幼児が禁止区域にいると判定した場合はステップＳ１４に進み、幼児が禁止区域にいないと判定した場合はステップＳ１１に戻る（Ｓ１３）。
この他のステップは、それぞれ図３のステップと同様である。
【００４９】
ここで、在室人物が覚醒状態であれば、幼児が部屋の外にいることが検知されても、在室人物の意思により幼児は部屋の外にいる、あるいは在室人物はそのことに気づくことが可能であるとしている。逆に、在室人物が睡眠中であれば、在室人物の意図に反して幼児は外に出たとし、異常判定部は異常を判定する。
【００５０】
図５は、図１の安全監視システムの施錠に関するフロー図である。図５は、睡眠判定部１２が在室人物が睡眠状態であると判定したとき、施錠装置２０が開閉装置の鍵を閉めることが可能な状態ならば施錠を行うという処理手順を示す。
ステップＳ１１は図３のステップと同様であり、異常判定部７３は、全員が睡眠状態であると判定した場合は、施錠可能であるか否かを判定する（Ｓ３２）。
すなわち、開閉装置が閉まっていて施錠可能であるか否かが判定される。異常判定部７３が、施錠可能であると判定した場合はステップＳ３３に進み、施錠可能でないと判定した場合はステップＳ１１に戻る（Ｓ３３）。
【００５１】
異常判定部７３は、施錠可能であると判定した場合は、施錠装置２０からの情報により開閉装置を施錠してあるか否かを判定する（Ｓ３３）。開閉装置を施錠してある場合はステップＳ１１に戻り、開閉装置が施錠していない場合はステップＳ３４に進む。
【００５２】
異常判定部７３が開閉装置を施錠していない場合は、施錠装置２０に指示して開閉装置の施錠をする（Ｓ３４）。この施錠後、ステップＳ１１に戻る。
一方、ステップＳ１１で少なくとも一人が睡眠状態でないと判定した場合は、異常判定部７３が開閉装置を施錠してあるか否かを判定する（Ｓ３５）。開閉装置が施錠されていると判断した場合はステップＳ３６に進み、開閉装置が施錠されていないと判断した場合はステップＳ１１に戻る。開閉装置が施錠されていると判断した場合は開閉装置の鍵を開け（開錠）（Ｓ３６）、その後ステップＳ１１に戻る。
【００５３】
ここで、開閉装置が開いていて施錠できない状態でも、開閉装置が自動的に開閉する自動開閉装置であり、自動で閉めて施錠するように設定されていてもよい。この場合は、ステップＳ３２の「Ｎｏ」の後にステップＳ３４に進むように設定されていればよい。
また、図５は睡眠判定部１２がステップＳ１１で覚醒を判定したら開錠する（Ｓ３６）ように設定されているが、入眠前にすでに施錠されている場合は、入眠状態から出眠（すなわち覚醒）しても開錠しないように設定してもよい。この設定は、例えば、生体情報計測部１１が睡眠状態からの出眠なのかを判定して覚醒していても開錠しないように設定する、又は時間帯によって覚醒していても開錠しないように設定する。
【００５４】
図６は、図１の安全監視システムの火気検出に関するフロー図である。図６は、火気消し忘れ警告に関する処理手順を示す。
火がついているか否かを判定するステップＳ４２以外は、図３と同様であるので、ステップＳ４２を中心に説明する。
異常判定部７３は、全員が睡眠状態であると判定した場合は、火気センサー６０からの情報に基づいて、室内に火気があるか否かを判定する（Ｓ４２）。異常判定部７３が室内に火気があると判定した場合はステップＳ１５に進み、室内に火気が無いと判定した場合はステップＳ１３に進む。
【００５５】
在室人物は例えば煙草を吸っているものとし、火気センサー６０がその火気を検出している。先と同じように、異常判定部７３は在室人物の覚醒／睡眠状態の情報と、火気が存在するか否かという情報が送られる。異常判定部７３は、在室人物が睡眠状態でない場合は火気が検知されても、その火は在室人物自身が意図的に点火している、あるいは、そうでなくとも在室人物はその火に対して対応可能とし、警告は鳴らさない。在室人物が睡眠状態である場合、火気が検知されなければ警告しないが、火気が依然として存在している場合、在室人物は火（この場合は煙草）を消し忘れたとし、警告を行う。
【００５６】
しかし、警告というものはしばしば不快なものであるから、消火手段がある場合、在室人物に警告をする前にまず消火を試みる方が好ましい。その場合の処理手順を図７に示す。
【００５７】
図７は、図６のフロー図に消火に関する過程が追加されたフロー図である。図７のステップＳ５４からステップＳ５７が、図６のステップＳ１３とステップＳ１４の間に追加されている。
ステップＳ１３で異常判定部７３が、警告部１４が警告していると確認した場合はステップＳ１１に戻り、警告部１４が警告していないと確認した場合はステップＳ５４に進み消火装置３０が火の消火を試みる。例えば、煙草が都合よく灰皿の上にあって消火機能がうまく働いた場合は煙草は消火され、煙草が灰皿の上に無い、あるいは消火が失敗した場合は火は消火されない。
【００５８】
次に所定の時間、ここでは５秒だけ待機し（Ｓ５５）、再びステップＳ１１と同様に在室している人間が装着している各ウェアラブル装置１０内の睡眠判定部１２が装着者が睡眠状態であるか否かを判定する（Ｓ５６）。
異常判定部７３は、在室している人間全員が睡眠状態であると判定した場合はステップＳ５７に進み、少なくとも一人が睡眠状態でないと判定した場合はステップＳ１１に戻る。次のステップＳ５７はステップＳ４２と同様である。異常判定部７３が室内に火気があると判定した場合はステップＳ１４に進み、室内に火気が無いと判定した場合はステップＳ１１に戻る。ステップＳ５７で室内に火気があると判定された場合は、警告部１４に指示して警告を開始し（Ｓ１４）、ステップＳ１１に戻る。ここで警告は警告停止の指示（Ｓ１６）がされない限り、停止しない。
火が点火したまま室内に人がいなくなっても消火忘れになる。これを防ぐための処理手順を図８に示す。
【００５９】
図８は、図７のフロー図に在室人物に関する過程が追加されたフロー図である。図７のステップＳ１１とＳ４２の間、及びステップＳ５６とＳ５７の間に新たに在室しているはずの人物が部屋の外にいる否かを判定するステップ（Ｓ６２及びＳ６８）が追加されている。そのステップ以外は、図７と同様である。
異常判定部７３は、全員が睡眠状態であると判定した場合は、位置センサー５０及び位置検出部７１からの情報により在室しているはずの人物が部屋の外にいるか否かを判定する（Ｓ６２）。異常判定部７３が、在室しているはずの人物が部屋の外にいると判定した場合はステップＳ４２に進み、在室しているはずの人物が一人でも室内にいる場合はステップＳ１５に進む。
【００６０】
ステップＳ６８では上記と同様に、異常判定部７３は、全員が睡眠状態であると判定した場合は、位置センサー５０及び位置検出部７１からの情報により在室しているはずの人物が部屋の外にいるか否かを判定する。異常判定部７３が、在室しているはずの人物が部屋の外にいると判定した場合はステップＳ５７に進み、在室しているはずの人物が一人でも室内にいる場合はステップＳ１４に進む。
【００６１】
すなわち、位置センサー５０及び位置検出部７１によって在室人物が部屋の外に出たという情報を受けたら、その情報を基に異常判定部７３は、睡眠判定部１２から在室人物は覚醒中であるという情報をもらったとしても、火気が検知されれば異常と判定する。
【００６２】
図９は、図１の第１の変形例に係る安全監視システムのブロック図である。
図１の安全監視システムとの違いは、ウェアラブル装置１０及びサーバ７０の内部構成である。本変形例では、睡眠判定部１２及び警告部１４がサーバ７０内に設置される。
睡眠判定部７４は、無線通信部１３及び７２を介して、ウェアラブル装置１０の生体情報計測部１１が計測した情報を入力して上述したようにウェアラブル装置１０を装着している人間が覚醒状態にあるか睡眠状態にあるかをリアルタイムで判定する。その後、睡眠判定部７４は、判定結果を異常判定部７３に出力する。
警告部７５は、異常判定部７３が異常であるとの判定を下して出力する異常情報を、入力した場合に警告音を発生する。
その他の構成は図１に示した実施形態の安全監視システムと同様であり、図３、図４、図５、図６、図７、及び図８のフローも同様に実施される。
【００６３】
図１０は、図１の第２の変形例に係る安全監視システムのブロック図である。
本変形例では、サーバ７０が無く図１に示した実施形態のサーバ７０内の機能が全てウェアラブル装置１０内で実現される構成になっている。
異常判定部１５は、睡眠判定部１２の判定結果、位置検出部１６の位置検出結果及び無線通信部１３を介して施錠装置２０、開閉センサー４０、又は火気センサー６０から情報を取得し、これらの情報のうち必要な情報に基づいて室内が異常であるか否かを判定する。
警告部１４は、異常判定部１５が室内が異常であると判定して出力する異常判定情報を入力して警告音又はバイブレーションを発生する。
位置検出部１６は、無線通信部１３を介して、位置センサー５０が検出した位置情報を取得して、この位置情報に基づいてウェアラブル装置１０を身につけている人間の位置を検出して異常判定部１５にその検出した位置を出力する。
その他の構成は図１に示した実施形態の安全監視システムと同様であり、図３、図４、図５、図６、図７、及び図８のフローも同様に実施される。
【００６４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組合せにより、種々の発明を形成できる。例えば、実施形態に示される全構成要素から幾つかの構成要素を削除してもよい。さらに、異なる実施形態にわたる構成要素を適宜組み合わせてもよい。
【００６５】
【発明の効果】
本発明の安全監視システムにより、室内の状況を正確に把握し信頼度の高い安全性を実現することができる。
【図面の簡単な説明】
【図１】本発明の実施形態に係る安全監視システムのブロック図。
【図２】図１の安全監視システムの設置例。
【図３】図１の安全監視システムの窓の開閉に関するフロー図。
【図４】図１の安全監視システムの禁止区域に関するフロー図。
【図５】図１の安全監視システムの施錠に関するフロー図。
【図６】図１の安全監視システムの火気検出に関するフロー図。
【図７】図６のフロー図に消火に関する過程が追加されたフロー図。
【図８】図７のフロー図に在室人物に関する過程が追加されたフロー図。
【図９】図１の第１の変形例に係る安全監視システムのブロック図。
【図１０】図１の第２の変形例に係る安全監視システムのブロック図。
【符号の説明】
１０・・・ウェアラブル装置、１１・・・生体情報計測部、１２、７４・・・睡眠判定部、１３、７２・・・無線通信部、１４、７５・・・警告部、１５、７３・・・異常判定部、１６、７１・・・位置検出部、２０・・・施錠装置、３０・・・消火装置、４０・・・開閉センサー、５０・・・位置センサー、６０・・・火気センサー、７０・・・サーバ
【図１】
2004310449.tif 000003
【図２】
2004310449.tif 000004
【図３】
2004310449.tif 000005
【図４】
2004310449.tif 000006
【図５】
2004310449.tif 000007
【図６】
2004310449.tif 000008
【図７】
2004310449.tif 000009
【図８】
2004310449.tif 000010
【図９】
2004310449.tif 000011
【図１０】
2004310449.tif 000012